(57)【要約】【課題】ロック爪をロック枠に係止するロック装置において、ロック爪とロック枠の係合面が当接するロック位置に隙間を発生させず、ガタ付きによる異音を無くす。【解決手段】ワイヤハーネスに取り付けられ、互いに結合される樹脂成形品からなる第一部材と第二部材とを結合するロック装置であって、前記第一部材に向けて第二部材から突出する係止片を設け、該係止片は下方を第一部材の外面から離れる方向に屈曲させた「く」字状とすると共に下端に外向きのロック爪を突設している一方、前記第一部材の外面に、コ字状にロック枠を突設すると共に該ロック枠の外側枠との対向する前記外面からロック爪押圧用突起を設け、前記ロック爪押圧用突起で前記係止片のロック爪を外方へ突出させ、該ロック爪の上端係合面を前記ロック枠の外側枠の下端係合面と係合させる構成としている。【選択図】図３
2010233330.tif 000002
【特許請求の範囲】
【請求項１】
ワイヤハーネスに取り付けられ、互いに結合される樹脂成形品からなる第一部材と第二部材とを結合するロック装置であって、
前記第一部材に向けて第二部材から突出する係止片を設け、該係止片は下方を第一部材の外面から離れる方向に屈曲させた「く」字状とすると共に下端に外向きのロック爪を突設している一方、
前記第一部材の外面に、コ字状にロック枠を突設すると共に該ロック枠の外側枠との対向する前記外面からロック爪押圧用突起を設け、
前記ロック爪押圧用突起で前記係止片のロック爪を外方へ突出させ、該ロック爪の上端係合面を前記ロック枠の外側枠の下端係合面と係合させる構成としていることを特徴とするロック装置。
【請求項２】
前記ロック爪押圧用突起は前記第一部材の外面を底辺とする断面三角形とし、突出する頂点Ｐは前記ロック枠の外側枠の下端係合面と略同一線上に設け、かつ、該ロック爪押圧用突起の頂点Ｐを挟む角度θ１を鋭角とすると、前記係止片の上部垂直部と下部屈曲部とが成す角度θ２は鈍角としている請求項１に記載のロック装置。
【請求項３】
ワイヤハーネスを貫通保護するプロテクタの本体を前記第一部材とし、該本体の上端開口を閉鎖する蓋を第二部材としている請求項１または請求項２に記載のロック装置。
【請求項４】
請求項３に記載のプロテクタのロック装置のロック方法であって、
蓋の上壁下面で本体の側壁上端面を押し下げながら、前記蓋から突設した係止片を下端のロック爪から前記本体の外面とロック枠に囲まれた空間を貫通させ、前記ロック爪押圧用突起で前記ロック爪を外方へと突出させ、該ロック爪の上端係合面が前記ロック枠の外側枠の下端係合面の下方に隙間をあけて対向するオーバーストローク位置まで挿入し、該オーバーストローク位置で蓋の押し下げを解除して、前記ロック爪を反力により上昇させて前記ロック爪の上端係合面を前記ロック枠の外側枠の下端係合面と隙間無く密着させて係合するロック方法。
【発明の詳細な説明】
【技術分野】
【０００１】
本発明は２つ部材を結合するロック装置および該ロック装置のロック方法に関し、詳しくは、ワイヤハーネスに取り付けられるプロテクタの本体と蓋とを結合するロック装置として好適に用いられるものである。
【背景技術】
【０００２】
自動車に配索される電線群の集束体であるワイヤハーネスに外装し、ワイヤハーネスの保護および配索方向を規制する部材として、樹脂成形品の本体と蓋とからなるプロテクタが汎用に、本体に、本体と別体の蓋あるいは本体の一側壁にヒンジ結合した蓋を、本体と蓋とに設けた係止部と被係止部とを結合してロックしている。
また、ワイヤハーネスを接続する電気接続箱においても、本体に分岐接続回路を構成する内部回路体を収容し、蓋を本体にロック結合している。
このようにワイヤハーネスに取り付ける樹脂成形品からなる部材には、ロック機構が設けられていることが多い。
【０００３】
この種のロック機構は、通常、図７に示すように、本体１００の外面からロック枠１０１を突設する一方、蓋１１０の外面から下向きに係止片１１１を突設し、その下端に係止爪１１２を設け、係止爪１１２をロック枠１０１の外枠部１０１ａの下面に係合してロック結合している。
また、前記と同様なロック機構とした特開平５−２５２６３４号公報のロック機構では、図８に示すように、本体１００の周壁にはロック枠１０１の上方に凹部１０２を設けている。
【先行技術文献】
【特許文献】
【０００４】
【特許文献１】特開平５−２５２６３４号公報
【発明の概要】
【発明が解決しようとする課題】
【０００５】
従来汎用されている図７に示すロック機構では、蓋１１０の係止爪１１２を本体１００の外面１００ａとロック枠１０１の間の空間を通過させる際、ロック枠１０１を外方に撓ませて通過させるために、係止爪１１２をロック枠１０１の外枠部１０１ａの下面に係合した状態でクリアランスＣを設けておく必要がある。しかしながら、このクリアランスＣにより、ロック状態でガタ付きが発生し、自動車の走行時にガタ付きにより異音が発生する問題がある。特に、プロテクタを室内側に配置する場合、静寂とする室内に異音が響くことになり、異音の発生を無くすことが求められている。
図８に示す特許文献１のロック機構では、本体１００の上端に凹部１０２を設けることにより、蓋１１０の全体を撓ませて係止爪１１２を本体外面１００ａとロック枠１０１の間の空間を貫通させ、係止爪１１２をロック枠１０１の外枠部１０１ａの下面に係止した状態で蓋１１０を弾性復帰させ、これにより、係止爪とロック枠との係止面にクリアランスを発生させないようにしている。しかしながら、このようにロック結合すると、ロックを解除して蓋１１０を取り外す場合に治具が必要となる問題がある。かつ、ロック状態で凹部１０２からなる切欠部が生じることになり、被水領域に配置すると該凹部１０２から浸水が発生する恐れがある。
【０００６】
本発明は前記問題に鑑みてなされたもので、図８に示すような凹部１０２を本体の上端に設けることなく、係止爪とロック枠との係合面にクリアランスを発生させないロック機構を提供することを課題としている。
【課題を解決するための手段】
【０００７】
前記課題を解決するため、本発明は、ワイヤハーネスに取り付けられ、互いに結合される樹脂成形品からなる第一部材と第二部材とを結合するロック装置であって、
前記第一部材に向けて第二部材から突出する係止片を設け、該係止片は下方を第一部材の外面から離れる方向に屈曲させた「く」字状とすると共に下端に外向きのロック爪を突設している一方、
前記第一部材の外面に、コ字状にロック枠を突設すると共に該ロック枠の外側枠との対向する前記外面からロック爪押圧用突起を設け、
前記ロック爪押圧用突起で前記係止片のロック爪を外方へ突出させ、該ロック爪の上端係合面を前記ロック枠の外側枠の下端係合面と係合させる構成としていることを特徴とするロック装置を提供している。
【０００８】
前記ロック爪押圧用突起は前記第一部材の外面を底辺とする断面三角形とし、突出する頂点Ｐは前記ロック枠の外側枠の下端係合面と略同一線上に設け、かつ、該ロック爪押圧用突起の頂点Ｐを挟む角度θ１を鋭角とすると、前記係止片の上部垂直部と下部屈曲部とが成す角度θ２は鈍角としていることが好ましい。
【０００９】
具体的には、ロック爪押圧用突起の頂点Ｐを挟む角度θ１より、前記係止片の上部垂直部と下部屈曲部とが成す角度θ２を大きくすることが好ましい。
このように、係止片の角度θ２を大きな鈍角とすることで、該係止片の下端のロック爪の外方への突出量を押さえ、ロック枠に囲まれた空間を貫通する際には係止側の外側枠を外方へ大きく撓ませないようにすることが出来る。一方、ロック爪押圧用突起の頂角θ１を鋭角とすることで、該ロック爪押圧用突起に接触するロック爪を外方へ突出させてロック枠の外側枠の下端係合面の下方にロック爪の上端の係合面を位置させることができる。
【００１０】
前記ロック装置を設けるワイヤハーネスに取り付ける部材はプロテクタとし、プロテクタの本体を第一部材とし、該本体の上端開口を閉鎖する蓋を第二部材としていることが好ましい。
【００１１】
前記ロック装置を備えたプロテクタのロック方法は、蓋の上壁下面で本体の側壁上端面を押し下げながら、前記蓋から突設した係止片を下端のロック爪から前記本体の外面とロック枠に囲まれた空間を貫通させ、前記ロック爪押圧用突起で前記ロック爪を外方へと突出させ、該ロック爪の上端係合面が前記ロック枠の外側枠の下端係合面の下方に隙間をあけて対向するオーバーストローク位置まで挿入し、該オーバーストローク位置で蓋の押し下げを解除して、前記ロック爪を反力により上昇させて前記ロック爪の上端係合面を前記ロック枠の外側枠の下端係合面と隙間無く密着させて係合することを特徴とする。
【００１２】
前記した本発明のロック装置では、プロテクタの本体等の第一部材の外面にロック枠とロック爪押圧用突起を設け、蓋等の第二部材の係止片を「く」字形状として下端のロック爪を外側へ予め突出させ、かつ、本体の側壁外面に突設したロック爪押圧用突起でロック爪を外方へ突出させるため、ロック枠の外側枠を本体の側壁外面から距離をあけて設けておくことができる。よって、ロック枠に囲まれた空間にロック爪を貫通する際にはロック枠の外側枠を外側へ撓ませることは殆どなく、かつ、撓ませても撓み量を低減できる。
さらに、蓋等を本体の側壁上端に強く圧接してロック爪をロック枠を通して貫通させているため、ロック位置よりオーバーストロークした位置で蓋の押圧を解くと、本体の反力で蓋は元の位置に戻るように上昇し、それに伴い蓋に取り付けたロック爪を上昇でき、ロック爪の上端係合面をロック枠の下端係合面に圧接でき、ロック位置での隙間の発生を確実に防止できる。これによりロック位置でのロック爪とロック枠との間のガタ付きを防止でき、ガタ付きで発生する異音を無くすことができる。
【００１３】
本発明のロック装置を設ける組立部材はプロテクタに限らず、ワイヤハーネスを接続する電気接続箱のケース本体と該ケース本体に取り付ける蓋との間のロック機構にも好適に用いられる。かつ、該電気接続箱やプロテクタに限らず、ワイヤハーネスに取り付ける第二部材と第一部材とをロック結合する組み立て部品に用いることができる。
【発明の効果】
【００１４】
上述したように、本発明のロック装置は、ロック爪とロック枠とのロック位置よりもロック爪をオーバーストロークした位置まで挿入し、該位置でロック爪の押し込み力を解除することで、ロック爪を上昇させてロック爪の上端係合面をロック枠の下端係合面に隙間無く当接してロックできる。よって、ロック位置でクリアランスを発生させず、ガタ付きの発生を無くして異音の発生を防止することができる。
かつ、ロック爪押圧用突起でロック爪を外側へと突出させてロック爪とロック枠とをロックさせるため、ロック信頼性を高めることができる。
【図面の簡単な説明】
【００１５】
【図１】第一実施形態のロック機構を備えたプロテクタを示す概略全体図である。
【図２】（Ａ）はプロテクタの本体と蓋との要部分解斜視図、（Ｂ）はロック状態のロック部の断面図である。
【図３】本体に設けたロック枠とロック押圧用突起および蓋に設けた係止片の角度の関係を説明する図面である。
【図４】ロック操作時の挿入工程を示し、（Ａ）は係止片のオーバーストローク位置の断面図、（Ｂ）はロック位置の断面図である。
【図５】第一実施形態の変形例を示す図面である。
【図６】第二実施形態を示す要部斜視図である。
【図７】従来例を示す図面である。
【図８】他の従来例を示す図面である。
【発明を実施するための形態】
【００１６】
以下、本発明の実施形態を図面を参照して説明する。
図１乃至図４に示す第一本実施形態のロック機構は、自動車に配索するワイヤハーネス１に対して所要箇所に外装するプロテクタ２の本体３と蓋４とのロック装置に関する。プロテクタの本体３が第一部材、蓋４が第二部材に相当する。
【００１７】
プロテクタ２の本体３は、底壁５と両側壁６、６を備えた断面コ字形状であり、蓋４は本体３の上端開口８を閉鎖する上壁９を有する平板形状であり、本体３および蓋４はいずれも樹脂成形品からなる。本体３にワイヤハーネス１を貫通した後に、蓋４を上端開口８に被せて本体３と蓋４とをロック係合している。
【００１８】
前記本体３の両側壁６の外面６ａの上端に沿って間隔をあけてロック装置の一方部材を構成するロック枠１０を突設している。該ロック枠１０は、両側の側壁６の外面６ａから水平方向に突設する両側枠１０ａ、１０ｂと、該両側枠１０ａ、１０ｂの先端間を連結する外側枠１０ｃとからなる横方向のコ字枠状であり、該外側枠１０ｃの水平面からなる下面が係合面１０ｄとなる。
【００１９】
また、本体３の両側壁６の外面６ａにはそれぞれロック枠１０に囲まれた位置から下方にかけてロック爪押圧用突起１１を突設している。ロック爪押圧用突起１１はロック枠１０の両側枠１０ａと１０ｂの間の中間位置に設けている。該ロック爪押圧用突起１１は側壁６の外面６ａを底辺とする縦方向の断面三角形とし、上側傾斜面１１ａと下側傾斜面１１ｂとが交差する外方へ突出した頂点Ｐは、ロック枠１０の係合面１０ｄと略同一線上に設けている。外方下向きに傾斜する上側傾斜面１１ａは、後述するロック爪１８を外方に向けて押圧移動させる機能を有する。
なお、下側傾斜面１１ｂは傾斜面とせずに水平面としてもよい。
【００２０】
前記ロック爪押圧用突起１１の上端１１ｃとロック枠１０の外側枠１０ｃの上端内面１０ｆの間の空間１２の寸法Ｗは後述する係止片１５のロック爪１８がロック枠１０の外側枠１０ｃを外方へ大きく撓ませることなく挿通できる大きさとしている。また、上記頂点Ｐの角度は鋭角としている。
【００２１】
一方、蓋４の上壁９の幅方向両端から前記ロック枠１０と対向する位置に下向きに、ロック装置の他方部材となる係止片１５を突設している。
該係止片１５の幅は前記ロック枠１０の両側枠１０ａ、１０ｂ間の寸法より小さくしてロック枠１０と側壁外面６ａの間の空間を貫通できる幅としている。
該係止片１５は上部垂直部１６の下端に外側に屈曲させた下部屈曲部１７を連続させた「く」字形状とし、下部屈曲部１７の下端に外向きに突出したロック爪１８を設けている。該ロック爪１８は上端を水平面として係合面１８ａとしている。
【００２２】
図３に示すように、係止片１５の上部垂直部１６と下部屈曲部１７との成す角度θ２は鈍角とし、係止片１５を可撓性として屈曲点を支点として下部屈曲部１７を外側に屈曲可能としている。該角度θ２は前記角度θ１より大きくしている。
【００２３】
また、係止片１５の長さは、ロック爪１８の上端の係合面１８ａがロック枠１０の外側枠１０ｃの下端係合面１０ｄと圧接した状態で、蓋４の上壁９の下面が本体３の側壁６の上端面６ｂに隙間なく密着する寸法としている。
【００２４】
前記プロテクタ２は本体３にワイヤハーネス１を貫通させた後、蓋４を本体３の上端開口８に被せて本体３と蓋４とをロック結合しており、該ロック方法を以下に説明する。
【００２５】
前記ロック結合操作は、図４に示すように、蓋４から下向きに突出する係止片１５を、本体３の両側壁６の外面６ａに沿って下降させ、外面６ａとロック枠１０の間の空間１２に係止片１５の下端のロック爪１８から挿入し、続いて、下部屈曲部１７を挿入する。
前記ロック爪１８は外向きに突出しているが、ロック枠１０に囲まれた空間１２の上端の幅Ｗは前記のように、ロック爪１８がロック枠１０の外側枠１０ｃを外方へ大きく撓ませることなく挿通できる大きさとしているため、空間１２内にロック爪１８をスムーズに挿入することができる。
【００２６】
かつ、係止片１５の下部屈曲部１７は外向きに屈曲しているため、該下部屈曲部１７の下端のロック爪１８はロック爪押圧用突起１１の上側傾斜面１１ａに接触しても、該上側傾斜面１１ａに摺接しながら挿入されていくだけで外側枠１０ｃへの押圧力は小さい。
ロック爪１８がロック枠１０に囲まれた空間１２から下方へと出た位置で、下部屈曲部１７がロック爪押圧用突起１１に押圧されて、ロック爪１８を外方へと突出し、該ロック爪１８の上端係合面１８ａがロック枠１０の外側枠１０ｃの下端係合面１０ｄの下方に位置する。図４（Ａ）に示すように、ロック爪１８の上端係合面１８ａがロック枠１０の下端係合面１０ｄと当接するロック位置よりもオーバーストローク位置に位置するまで、係止片１５を挿入する。
【００２７】
図４（Ａ）に示すオーバーストローク位置にロック爪１８が達すると、蓋４の押圧力を解く。これにより本体３の反力で蓋４は上昇し、蓋４から突設した係止片１５の下端のロック爪１８も上昇し、ロック爪１８の上端係合面１８ａはロック枠１０の外側枠１０ｃの下端係合面１０ｄに強い力で密着する。よって、ロック爪１８とロック枠１０とのロック位置には隙間は発生せず、ガタ付きの発生を防止でき、ガタ付きで生じる異音を無くすことができる。    
【００２８】
図５に変形例を示す。
変形例では、蓋４の上壁９の幅方向両側から下向きの周壁２０を設け、該周壁２０の下端から前記「く」字状の係止片１５を突設し、該係止片１５の下端にロック爪１８を設けている。本体３にロック枠１０およびロック爪押圧用突起１１を設ける構成および他の構成は第一実施形態と同一であるため、同一符号を付して説明を省略する。該変形例のロック方法も第一実施形態と同一であり、同一の作用効果を有するため説明を省略する。
【００２９】
また、前記蓋４は本体３の一方側の側壁と薄肉ヒンジ部を介して一体的に設け、蓋４の幅方向の他端側と本体３の他方側の側壁とに前記可動ロック爪を設けた係止片と、ロック枠とを設けてロック係合してもよく、プロテクタは前記実施形態に限定されない。
【００３０】
図６に第二実施形態を示す。
第二実施形態では、ワイヤハーネス１を接続するジャンクションボックス等の電気接続箱２１のロック装置として、本発明を適用している。
該電気接続箱２１の内部回路材を収容する本体ケース２２にロック枠１０とロック爪押圧用突起を設ける一方、本体ケース２２の上部に被せるカバー２３の周壁２０に前記「く」字状の係止片１５を突設し、その下端にロック爪１８を設けている。
第二実施形態では、本体ケース２２が第一部材、カバー２３が第二部材となる。
他の構成および作用は第一実施形態と同様であるため、同一符号を付して説明を省略する。
【符号の説明】
【００３１】
１  ワイヤハーネス
２  プロテクタ
３  本体
４  蓋  
１０  ロック枠
１０ｃ  外側枠
１０ｄ  下端係合面
１１  ロック爪押圧用突起
１５  係止片
１６  上部垂直部
１７  下部屈曲部
１８  ロック爪
１８ａ  上端係合面
２０  周壁
２１  電気接続箱
２２  本体ケース
２３  カバー
【図１】
2010233330.tif 000003
【図２】
2010233330.tif 000004
【図３】
2010233330.tif 000005
【図４】
2010233330.tif 000006
【図５】
2010233330.tif 000007
【図６】
2010233330.tif 000008
【図７】
2010233330.tif 000009
【図８】
2010233330.tif 000010